(57)【特許請求の範囲】
【請求項１】
外部の空気が通る空気流入口と、室内の空気が通る還気口と、温度と湿度とが調節された空気が通る空気流出口とが設けられたケーシングを備え、
前記ケーシング内は、
前記空気流入口および前記還気口がそれぞれ形成された流入側空間と、
前記空気流出口が形成され、ファンが配置されたファン室と、
前記流入側空間と前記ファン室との間に配置され、熱交換器が配置された熱交換室とに仕切られており、
前記空気流入口および前記還気口には、逆流防止機構がそれぞれ配置されることを特徴とする空気調和機。
【請求項２】
前記流入側空間には、開口が形成されており、前記開口を開閉可能に構成された扉が設けられることを特徴とする請求項１に記載の空気調和機。
【請求項３】
前記扉が、前記ケーシングの外周面より内側で前記開口を開閉可能に構成されることを特徴とする請求項２に記載の空気調和機。
【請求項４】
前記扉が、前記開口の端部近くにある軸の周りを回動可能に構成されることを特徴とする請求項３に記載の空気調和機。
【請求項５】
請求項１から４のいずれかに記載の空気調和機を複数台備えたことを特徴とする空気調和ユニット。
【請求項６】
複数の前記空気調和機のそれぞれの前記空気流入口を囲む空気流入部材と、
複数の前記空気調和機のそれぞれの前記空気流出口を囲む空気流出部材とを備えることを特徴とする請求項５に記載の空気調和ユニット。
【発明の詳細な説明】
【技術分野】
【０００１】
本発明は、例えば室内に設置される空気調和機および空気調和ユニットに関する。
【背景技術】
【０００２】
従来の空気調和機は、熱交換器が内部に配置された熱交換室と、ファンが内部に配置されたファン室とを有し、ファン室の吹出口から空気が吹き出される。この空気調和機を複数台備えた大出力の空調ユニットでは、複数のファン室の吹出口から吹き出される空気を合流させるが、複数台の空気調和機のうちの一部の空気調和機のファンが故障した場合、故障してない空気調和機だけが運転されることがある。このとき、複数の吹出口が常に開放されている場合、故障してない空気調和機の吹出口から吹き出された空気が、故障した空気調和機の吹出口から逆流してしまう。したがって、空気調和機には、ファン室の吹出口に逆流防止用ダンパを配置したものがある。ダンパは、吹出口から空気が吹き出される場合に開放され、吹出口から空気が吹き出されない場合に吹出口をふさぐことから、故障してない空気調和機の吹出口から吹き出された空気が、故障した空気調和機の吹出口から逆流するのを防止できる。
【先行技術文献】
【特許文献】
【０００３】
【特許文献１】特開平１１―３０４１８１号公報
【発明の概要】
【発明が解決しようとする課題】
【０００４】
しかし、ファン室は外部空間より圧力が高く、ファン室の空気が吹出口以外の部分から外部空間に漏れないように、ファン室の外壁パネルは多くのビス等により固定されていることが一般的である。したがって、ダンパのメンテナンスを行うには、多くのビス等により固定されているファン室の外壁パネルを取り外す必要があり、ダンパのメンテナンスを容易に行うことができない問題がある。
【０００５】
そこで、本発明の目的は、メンテナンスが容易である空気調和機および空気調和ユニットを提供することである。
【課題を解決するための手段】
【０００６】
第１の発明に係る空気調和機は、外部の空気が通る空気流入口と、室内の空気が通る還気口と、温度と湿度とが調節された空気が通る空気流出口とが設けられたケーシングを備え、前記ケーシング内は、前記空気流入口および前記還気口がそれぞれ形成された流入側空間と、前記空気流出口が形成され、ファンが配置されたファン室と、前記流入側空間と前記ファン室との間に配置され、熱交換器が配置された熱交換室とに仕切られており、前記空気流入口および前記還気口には、逆流防止機構がそれぞれ配置されることを特徴とする。
【０００７】
この空気調和機では、逆流防止機構が、ケーシング内において外部空間より圧力が低い流入側空間に形成された空気流入口に配置されていることから、外部空間より圧力が高いファン室のように、空気が外部空間に漏れないようにする必要性が低い。したがって、流入側空間の外壁パネルを固定するビス等を少なくしたり、流入側空間の外壁パネルに開閉可能に構成された扉を設けることができる。よって、逆流防止機構のメンテナンスが容易である。
【０００８】
第２の発明に係る空気調和機は、第１の発明において、前記流入側空間には、開口が形成されており、前記開口を開閉可能に構成された扉が設けられることを特徴とする。
【０００９】
この空気調和機では、流入側空間に設けられた扉を開くだけで、流入側空間の外壁パネルを取り外さなくても、逆流防止機構のメンテナンスを行うことができる。
【００１０】
第３の発明に係る空気調和機は、第２の発明において、前記扉が、前記ケーシングの外周面より内側で前記開口を開閉可能に構成されることを特徴とする。
【００１１】
この空気調和機では、扉がケーシングの外周面より内側で開口を開閉するので、空気調和機の周辺に物が置かれていても、当該物に扉の開閉が阻害されることはない。また、空気調和機を隣接して設置し、隣り合う空気調和機間にスペースがなくても扉を開くことができる。従って、複数の空気調和機を隣接して設置でき、空気調和機の設置スペースを小さくできる。
【００１２】
第４の発明に係る空気調和機は、前記扉が、前記開口の端部近くにある軸の周りを回動可能に構成されることを特徴とする。
【００１３】
この空気調和機では、扉が軸の周りに回動して開口を開閉する内開き扉を採用しているので、簡単な構成で容易に開口を開閉できる。
【００１４】
第５の発明に係る空気調和ユニットは、請求項１から４のいずれかに記載の空気調和機を複数台備えたことを特徴とする。
【００１５】
この空気調和ユニットでは、複数台の空気調和機を隣接して設置しても扉を開くことができる。従って、隣接する一方の空気調和機内から他方の空気調和機内に移動し、メンテナンスや故障の修理をすることができる。このとき、メンテナンスや故障の修理などで運転を停止する空気調和機があっても、扉を閉じてそれ以外の空気調和機を運転できる。また、大きな風量を得るために空気調和ユニットを使用することで、１台の空気調和機を大型化するのと比べて熱交換器が小さくなる。これにより、ケーシングから熱交換器を取り出してメンテナンスをするサービススペースを小さくできる。複数の空気調和機を隣接して設置するので、隣り合う空気調和機間のスペースを省略して空気調和機の占有スペースを小さくできる。すなわち、空気調和ユニットの設置スペースを小さくできる。
【００１６】
第６の発明に係る空気調和ユニットは、複数の前記空気調和機のそれぞれの前記空気流入口を囲む空気流入部材と、複数の前記空気調和機のそれぞれの前記空気流出口を囲む空気流出部材とを備えることを特徴とする。
【００１７】
この空気調和ユニットでは、一旦、空気が空気流入部材に集められるので、それぞれの空気流入口に均等に空気を流入できる。また、空気流出部材が空気流出口から流出される空気を束ねる。従って、仮に１台の空気調和機がメンテナンスなどにより停止しても、運転している空気調和機から温度調整された空気を供給できる。
【発明の効果】
【００１８】
第１の発明では、逆流防止機構が、ケーシング内において外部空間より圧力が低い流入側空間に形成された空気流入口に配置されていることから、外部空間より圧力が高いファン室のように、空気が外部空間に漏れないようにする必要性が低い。したがって、流入側空間の外壁パネルを固定するビス等を少なくしたり、流入側空間の外壁パネルに開閉可能に構成された扉を設けることができる。よって、逆流防止機構のメンテナンスが容易である。
【００１９】
第２の発明では、流入側空間に設けられた扉を開くだけで、流入側空間の外壁パネルを取り外さなくても、逆流防止機構のメンテナンスを行うことができる。
【００２０】
第３の発明では、扉がケーシングの外周面より内側で開口を開閉するので、空気調和機の周辺に物が置かれていても、当該物に扉の開閉が阻害されることはない。また、空気調和機を隣接して設置し、隣り合う空気調和機間にスペースがなくても扉を開くことができる。従って、複数の空気調和機を隣接して設置でき、空気調和機の設置スペースを小さくできる。
【００２１】
第４の発明では、扉が軸の周りに回動して開口を開閉する内開き扉を採用しているので、簡単な構成で容易に開口を開閉できる。
【００２２】
第５の発明では、複数台の空気調和機を隣接して設置しても扉を開くことができる。従って、隣接する一方の空気調和機内から他方の空気調和機内に移動し、メンテナンスや故障の修理をすることができる。このとき、メンテナンスや故障の修理などで運転を停止する空気調和機があっても、扉を閉じてそれ以外の空気調和機を運転できる。また、大きな風量を得るために空気調和ユニットを使用することで、１台の空気調和機を大型化するのと比べて熱交換器が小さくなる。これにより、ケーシングから熱交換器を取り出してメンテナンスをするサービススペースを小さくできる。複数の空気調和機を隣接して設置するので、隣り合う空気調和機間のスペースを省略して空気調和機の占有スペースを小さくできる。すなわち、空気調和ユニットの設置スペースを小さくできる。
【００２３】
第６の発明では、一旦、空気が空気流入部材に集められるので、それぞれの空気流入口に均等に空気を流入できる。また、空気流出部材が空気流出口から流出される空気を束ねる。従って、仮に１台の空気調和機がメンテナンスなどにより停止しても、運転している空気調和機から温度調整された空気を供給できる。
【図面の簡単な説明】
【００２４】
【図１】３台の空気調和機を隣接して設置し、各開口を囲むユニットを装着した状態を示す空気調和ユニットの斜視図。
【図２】３台の空気調和機を隣接して設置した状態を示す斜視図。
【図３】３台の空気調和機を隣接して設置した状態を示す平面図。
【図４】本発明の実施形態に係る空気調和機を正面から見た斜視図。
【図５】図４の空気調和機を背面から見た斜視図。
【図６】図４の空気調和機を正面から見た内部構造を示す斜視図。
【図７】図４の空気調和機を背面から見た内部構造を示す斜視図。
【図８】図４の空気調和機の正面図
【図９】図３のＡ領域における空気調和機の前面扉および背面扉の部分拡大図。
【図１０】（ａ）は図２にダンパを装着した状態でのＣ−Ｃ断面であり、ダンパが流入口および還気口を閉じた状態を示す部分拡大断面図、（ｂ）はダンパが回動している途中を示す部分拡大断面図、（ｃ）はダンパが流入口および還気口を開いた状態を示す部分拡大断面図。
【図１１】片方の側面のみに扉を設けた変形例の空気調和機の部分破断平面図。
【図１２】（ａ）は引き戸が開口を閉じた状態を示す変形例に係る空気調和機の平面図、（ｂ）は引き戸が開口を開いた状態を示す変形例に係る空気調和機の平面図。
【図１３】変形例に係る前面扉および背面扉の部分拡大図。
【発明を実施するための形態】
【００２５】
以下、本発明の実施形態を添付図面に従って説明する。
【００２６】
図１に示すように、空気調和ユニット１０は、隣接して設置された３台の空気調和機１ａ〜１ｃと、空気調和機１ａ〜１ｃの後述する流入口２０を囲む空気流入部材２５と、空気調和機１ａ〜１ｃの後述する還気口２１を囲む還気部材２６と、空気調和機１ａ〜１ｃの後述する流出口２２を囲む空気流出部材２７とを備えている。
【００２７】
図２中、手前側から奥側に向かって第１空気調和機１ａ、第２空気調和機１ｂ、および第３空気調和機１ｃが順に設置されている。この空気調和機１ａ〜１ｃは、流入口２０および還気口２１からケーシング２内に空気を取り込み、後述する熱交換器４，５により温度調整された空気を流出口２２から室内に供給する。なお、流入口２０および還気口２１には逆流防止機構であるダンパ８１（図１０参照）が装着されているが、詳細については後述する。図３に示すように、第３空気調和機１ｃが奥側壁面７７に近接して設置されている。このとき、第１空気調和機１ａと手前側壁面７８との間には、熱交換器４，５を取り出してメンテナンスをするためのサービススペース７９が設けられている。
【００２８】
図４から図７に示すように、本実施形態の空気調和機１は、ケーシング２と、ケーシング２の内部に設けられた、エアフィルタ３と、冷水コイル４と、温水コイル５と、加湿器６と、送風ファン７とを備えた所謂エアハンドリングユニットを構成している。
【００２９】
ケーシング２は、箱状に組み立てられた複数の外壁パネル３０〜３５を有している。本実施形態では、前面（図４の手前側の鉛直面）が、４つの前面パネル（側壁）３０によって構成されている。４つの前面パネル３０は、後述する流入口２０から流出口２２に向かって順に配設された第１前面パネル３０ａと第２前面パネル３０ｂと第３前面パネル３０ｃと第４前面パネル３０ｄとからなる。第１前面パネル３０ａと第３前面パネル３０ｃとには、上下方向に延びる前面開口４１と、前面開口４１を開閉可能に構成された前面扉４２とが設けられている。
【００３０】
前面と同様に、背面（図５の手前側の鉛直面）が４つの背面パネル（側壁）３１によって構成されている。４つの背面パネル３１は、後述する流入口２０から流出口２２に向かって順に配設された第１背面パネル３１ａと第２背面パネル３１ｂと第３背面パネル３１ｃと第４背面パネル３１ｄとからなる。第１背面パネル３１ａと第３背面パネル３１ｃとには、上下方向に延びる背面開口５１と、背面開口５１を開閉可能に構成された背面扉５２とが設けられている。
【００３１】
また、左側面（図４の左側の鉛直面）が１つの左面パネル３２によって構成され、右側面（図４の右側の鉛直面）が１つの右面パネル３３によって構成されている。上面が１つの上面パネル３４によって構成され、下面が１つの土台３５によって構成されている。
【００３２】
上面パネル３４には、空気の流入口（空気流入口）２０と還気口２１と流出口（空気流出口）２２とが形成されている。流入口２０は右面パネル３３側に設けられ、図示しない室外に連通するダクトが接続されている。還気口２１は流入口２０に隣接して設けられ、図示しない室内に連通するダクトが接続されている。一方、流出口２２は左面パネル３２側に設けられ、図示しない室内に連通するダクトが接続されている。これにより、外気がダクト及び流入口２０を介し、室内の空気がダクト及び還気口２１を介してケーシング２の内部に流入し、温度や湿度が調節された後、流出口２２及びダクトを介して室内に供給される。
【００３３】
図６および図７に示すように、ケーシング２の内部には、流入口２０側の右面パネル３３から流出口２２側の左面パネル３２に向かって、エアフィルタ３、冷水コイル４、温水コイル５、加湿器６及び送風ファン７が順に設置されている。
【００３４】
エアフィルタ３と冷水コイル４との間には、第１仕切板１６が設けられている。加湿器６と送風ファン７との間には、第２仕切板７０が設けられている。各仕切板１６,７０によって、ケーシング２の内部空間は、右面パネル３３から左面パネル３２に向かって順に、流入側空間Ｓ１、熱交換室Ｓ２及びファン室Ｓ３に区画される。即ち、熱交換室Ｓ２には、熱交換器である冷水コイル４及び温水コイル５が設けられ、ファン室Ｓ３には送風ファン７が設けられている。
【００３５】
第１仕切板１６には、図示を省略するが空気の流通口が形成され、この流通口をエアフィルタ３と冷水コイル４とによって挟み込んでいる。このような構成により、流入口２０と還気口２１とから流入側空間Ｓ１に流入した空気がエアフィルタ３を通過後に、第１仕切板１６の流通口を通って冷水コイル４に流入することとなる。
【００３６】
エアフィルタ３は、プレフィルタとメインフィルタとを有し、空気中の塵埃を二段階に除去して空気を浄化する。
【００３７】
冷水コイル４及び温水コイル５は、それぞれ水冷式の熱交換器によって構成されている。そして、冷水コイル４には機外の熱源機から冷水が供給され、この冷水によって空気が冷却される。一方、温水コイル５には機外の熱源機から温水が供給され、この温水によって空気が加熱される。このようにして、エアフィルタ３を通過した空気は、冷水コイル４を流れる冷水又は温水コイル５を流れる温水によって温度が調節され、加湿器６において湿度が調節（加湿）される。
【００３８】
第２仕切板７０は、概ね鉛直に土台３５から上面パネル３４にまで延びた板状部材である。第２仕切板７０のうち、送風ファン７に対応する位置（即ち下部）には、熱交換室Ｓ２の空気がファン室Ｓ３へと通過する空気通過口７０ａが形成されている（図７参照）。この空気通過口７０ａは、ネット状のファンガード７０ｂで覆われている。
【００３９】
送風ファン７は、図６に示すように、流出口２２の真下且つファン室Ｓ３における下部に設けられている。送風ファン７は、例えばプラグファンであって、熱交換室Ｓ２からの空気を空気通過口７０ａを介して取り込み上方へと吹き出す。即ち、送風ファン７は、流入口２０と還気口２１とから流出口２２への空気の流れを形成する。送風ファン７は、架台１２に固定されており、架台１２は、積層ゴムやスプリング等の振動を吸収する振動吸収機構１４を介して土台３５に固定されている。
【００４０】
以下、本発明の前面扉４２および背面扉５２について詳述する。
【００４１】
図３に示すように、流入側空間Ｓ１および熱交換室Ｓ２のそれぞれに、前面扉４２と背面扉５２とが対向して配置されている。また、２つの前面扉４２は空気調和機１の長手方向（ケーシング２内に冷水コイル４と、温水コイル５と、送風ファン７とが順に配置されている方向）に沿って配置されている。背面扉５２についても同様である。ここでは、図３のＡで示す領域に配置された前面扉４２と背面扉５２とについて説明する。
【００４２】
図８に示すように、前面扉４２は、矩形の前面開口４１の外形寸法よりも大きな矩形状であり、前面パネル３０（ケーシング２）の内周面よりも内側に配置されている。図９（ａ）および図９（ｂ）に示すように、前面扉４２の近傍には、前面扉４２の回動軸６０と中空のシール部材６１とハンドル６４とが設けられている。
【００４３】
回動軸６０は、前面開口４１の送風ファン７側の端部近くに配置され、前面パネル３０の内側を前面パネル３０の内周面に沿って上下方向に延びている。前面扉４２は、前面パネル３０（ケーシング２）の外周面よりも内側で、前面開口４１を閉じた状態から内側に向かって回動軸６０回りに９０度回動し、前面開口４１を開いた状態に至る。
【００４４】
シール部材６１は、軸方向に延びる中空の弾性部材からなり、前面開口４１の内面の周縁部全周にわたって配置されている。前面扉４２が前面開口４１を閉じた状態では、シール部材６１は前面開口４１の周辺部４４と前面扉４２との間に配置されて圧縮される。これによりシール部材６１は、前面開口４１と前面扉４２との間をシールする。
【００４５】
ハンドル６４は、前面扉４２の外面かつ流入口２０側に、上下方向に等間隔に４つ取り付けられている（図２参照）。また、図８に示すように空気調和機１を正面から見て、ハンドル６４が前面開口４１の範囲内（内部）に配置されている。図９に示すようにハンドル６４は、前面扉４２に固定された基部６５と、基部６５に支持されて水平方向の軸周りに回動可能な係止部材である取手６６とを有する。前面扉４２が前面開口４１を閉鎖しているときに、ハンドル６４は、前面扉４２を前面開口４１の周辺部４４に向かって押圧する係止状態と、係止状態を解除して前面扉４２を開放可能な非係止状態との間を回動する。具体的には係止状態では、取手６６の先端部が、前面開口４１の縁部に取り付けられた前面側金具７４に係止している。
【００４６】
なお、前面扉４２がケーシング２の外周面より内側に設けられるとは、前面扉４２自体がケーシング２の外周面より内側に設けられていることを意味する。従って、前面扉４２が前面開口４１を閉鎖しているときに、取手６６が前面パネル３０の外周面から外側にはみ出している本実施形態は本発明に含まれる。また、前面扉４２がケーシング２の外周面より内側に設けられる構成には、後述するように、前面扉４２の外面が前面パネル３０の外面と面一になる構成も含まれる。
【００４７】
前面扉４２と同様に背面扉５２の近傍には、背面扉５２の回動軸６０と中空のシール部材６１とハンドル６４とが設けられている。回動軸６０とシール部材６１とハンドル６４とは、前面扉４２の場合と同じ要素であるので、同一の符号を付して説明を省略する。ただし、背面扉５２のハンドル６４は背面扉５２の内面に固定され、係止状態で背面扉５２を背面開口５１の周辺部５４に向かって押圧している。また、係止状態で、取手６６の先端部が、背面パネル３１の内側に取り付けられた背面側金具７５に係止している。
【００４８】
次に、本発明のダンパ８１について詳述する。
【００４９】
空気調和機１の流入口２０および還気口２１には、ダンパ８１が装着されている。図１０は、流入口２０および還気口２１に配設されたダンパ８１を示しているが、以下、代表して還気口２１のダンパ８１について説明する。その他のダンパ８１も同じ要素なので、同じ符号を付して説明を省略する。ダンパ８１は、軸８２の周りに回動する開閉板８３と、開閉板８３を閉じた状態に付勢するばね８４とを有する。
【００５０】
軸８２は還気口２１の、右側面パネル３３側に偏心した位置に設けられている。また軸８２は、流入口２０および還気口２１の前面パネル３０側から背面パネル３１にかけて延びている。
【００５１】
開閉板８３は、還気口２１の形状に一致する長方形形状である。ばね８４は、一端がケーシング２内の所定の位置Ｂに固定されている。ばね８４の他端は開閉板８３に係止し、重力に抗して開閉板８３を水平方向に支持している。すなわち、ばね８４は開閉板８３を、還気口２１を閉じた状態（初期状態）に付勢している（図１０（ａ）参照）。このとき開閉板８３の端部が、還気口２１の内縁に固定された係止金具８５に係止している。
【００５２】
空気調和機１の運転を開始して送風ファン７が駆動すると、図１０（ｂ）に示すように、上方から還気口２１を介して流入側空間Ｓ１に空気が流入しようとする。このとき、流入空気が開閉板８３を押圧するので開閉板８３が軸８２の周りに図中、反時計方向に回動して還気口２１が開口する。そして図１０（ｃ）に示すように、開閉板８３が閉じた状態から９０度回動して、還気口２１は完全に開いた状態となる。送風ファン７が停止すると、開閉板８３がばね８４の付勢力により図中、時計方向に回動し、初期状態に復帰する。このようにダンパ８１を装着することで、複数台の空気調和機１ａ〜１ｃを並設して使用したときに、一部の空気調和機１を運転して他の空気調和機１の運転を停止しても、流入口２０および還気口２１からケーシング２内に空気が逆流するのを防止できる。
【００５３】
以下、上述した空気調和機１の運転動作について説明する。
【００５４】
機外の熱源機において冷却された冷水を冷水コイル４に、機外の熱源機において加熱された温水を温水コイル５に流通させると共に、送風ファン７を稼働させる。これにより、熱交換室Ｓ２の空気がファン室Ｓ３に吸い込まれ、熱交換室Ｓ２及びこの熱交換室Ｓ２に連通する流入側空間Ｓ１がケーシング２の外部よりも圧力が低い負圧状態となる。そのため、外部の空気が流入口２０から、および室内の空気が還気口２１から流入側空間Ｓ１に流入する。
【００５５】
流入側空間Ｓ１に流入した空気は、エアフィルタ３にて塵埃を除去された後、第１仕切板１６の流通口から冷水コイル４及び温水コイル５に流入し、各コイル４，５内を流れる冷水／温水と熱交換して温度調節される。温度調節された空気は、加湿器６にて湿度調節される。
【００５６】
湿度調節された空気は、空気通過口７０ａからファン室Ｓ３に流入すると、流出口２２から図示しないダクトを介して室内へ供給される。そのため、ファン室Ｓ３は、熱交換室Ｓ２、流入側空間Ｓ１及びケーシング２の外部よりも圧力が高い陽圧状態となる。
【００５７】
上述した空気調和機１を単独で使用してもよいが、より大きな風量を得るために、複数台の空気調和機１ａ〜１ｃをまとめて使用してもよい。具体的には前述した図１から図３に示すように、例えば３台の空気調和機１ａ〜１ｃを隣接して設置する。
【００５８】
図２中、手前側から奥側に向かって第１空気調和機１ａ、第２空気調和機１ｂ、および第３空気調和機１ｃが順に設置されている。このとき、第１空気調和機１ａの背面パネル３１が第２空気調和機１ｂの前面パネル３０と対向し、第２空気調和機１ｂの背面パネル３１が第３空気調和機１ｃの前面パネル３０と対向している。また、前面扉４２と背面扉５２とが対応して配置され、前面パネル３０と背面パネル３１との間には２０ｍｍの間隔が設けられている（図９参照）。図３に示すように、第３空気調和機１ｃが奥側壁面７７に近接して設置されている。このとき、第１空気調和機１ａと手前側壁面７８との間には、熱交換器４，５を取り出してメンテナンスをするためのサービススペース７９が設けられている。
【００５９】
これらの空気調和機１ａ〜１ｃの運転中、第２空気調和機１ｂにメンテナンスの必要が生じたとする。このとき、第１および第２空気調和機１ａ，１ｂの運転を停止して第３空気調和機１ｃの運転を継続する。点検者は、サービススペース７９から第１空気調和機１ａの前面扉４２を開き、前面開口４１を介して第１空気調和機１ａの内部に侵入し、前面扉４２を閉じる。次に点検者は、第１空気調和機１ａの背面扉５２を内側（手前側）に開くと共に、第２空気調和機１ｂの前面扉４２を奥側に開いて第２空気調和機１ｂの内部に侵入する。そして、開放している背面扉５２と前面扉４２とを閉じる。これにより、第１空気調和機１ａの運転を再開した状態で、点検者は第２空気調和機１ｂの内部でメンテナンスを行うことができる。メンテナンスを完了すると、第１空気調和機１ａの運転を停止して、点検者は第２空気調和機１ｂから第１空気調和機１ａを介してサービススペース７９に戻る。この後、第１空気調和機１ａと第２空気調和機１ｂとの運転を再開する。
【００６０】
[本実施形態の空気調和機の特徴]
本実施形態の空気調和機１には以下の特徴がある。
【００６１】
本実施形態の空気調和機１では、ダンパ８１が、ケーシング２内において外部空間より圧力が低い流入側空間Ｓ１に形成された流入口２０および還気口２１に配置されていることから、外部空間より圧力が高いファン室Ｓ３のように、空気が外部空間に漏れないようにする必要性が低い。したがって、流入側空間Ｓ１の外壁パネルを固定するビス等を少なくしたり、流入側空間Ｓ１の外壁パネルに開閉可能に構成された扉を設けることができる。よって、ダンパ８１のメンテナンスが容易である。
【００６２】
本実施形態の空気調和機では、流入側空間Ｓ１に設けられた扉を開くだけで、流入側空間Ｓ１の外壁パネルを取り外さなくても、ダンパ８１のメンテナンスを行うことができる。
【００６３】
本実施形態の空気調和機１では、前面扉４２および背面扉５２がケーシング２の外周面より内側で、それぞれ対応する前面開口４１または背面開口５１を開閉するので、空気調和機１の周辺に物が置かれていても、当該物に前面扉４２および背面扉５２の開閉が阻害されることはない。また、空気調和機１ａ〜１ｃを隣接して設置し、隣り合う空気調和機間１ａ〜１ｃにスペースがなくても前面扉４２および背面扉５２を開くことができる。従って、複数の空気調和機１ａ〜１ｃを隣接して設置でき、空気調和機１ａ〜１ｃの設置スペースを小さくできる。
【００６４】
本実施形態の空気調和機では、前面扉４２および背面扉５２が回動軸６０の周りに回動して、それぞれ対応する前面開口４１または背面開口５１を開閉する内開き扉を採用しているので、簡単な構成で容易に前面開口４１および背面開口５１を開閉できる。
【００６５】
本実施形態の空気調和ユニット１０では、複数台の空気調和機１を隣接して設置しても扉を開くことができる。従って、隣接する一方の空気調和機内から他方の空気調和機内に移動し、メンテナンスや故障の修理をすることができる。このとき、メンテナンスや故障の修理などで運転を停止する空気調和機があっても、扉を閉じてそれ以外の空気調和機１を運転できる。また、大きな風量を得るために空気調和ユニット１０を使用することで、１台の空気調和機を大型化するのと比べて熱交換器が小さくなる。これにより、ケーシングから熱交換器を取り出してメンテナンスをするサービススペースを小さくできる。複数の空気調和機を隣接して設置するので、隣り合う空気調和機間のスペースを省略して空気調和機の占有スペースを小さくできる。すなわち、空気調和ユニットの設置スペースを小さくできる。
【００６６】
本実施形態の空気調和ユニット１０では、一旦、空気が空気流入部材２５、２６に集められるので、それぞれの空気流入口２０、２１に均等に空気を流入できる。また、空気流出部材２７が空気流出口２２から流出される空気を束ねる。従って、仮に１台の空気調和機がメンテナンスなどにより停止しても、運転している空気調和機から温度調整された空気を供給できる。
【００６７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００６８】
前記実施形態では、ダンパ８１を流入口２０および還気口２１に設けた。しかし、これに限定されず、流入口２０および還気口２１の少なくとも１つに設けた空気調和機であってよい。これにより、１台の空気調和機が停止し、他の空気調和機が運転されているときに、運転中の空気調和機から流出された空気が、流出口２２から停止中の空気調和機の内部に逆流するのを防止できる。
【００６９】
前記実施形態では、２つの前面扉４２を空気調和機１の前面側に配置し、２つの背面扉５２を空気調和機１の背面側に配置した。しかし図１１に示すように、例えば背面扉５２を配置せず、前面パネル３０に２つの前面扉４２のみを配置する構成を採用してもよい。また、流入側空間Ｓ１を構成する前面パネル３０または熱交換室Ｓ２を構成する前面パネル３０のいずれかのみに、前面扉４２を配置してもよい。これにより、空気調和機１の構成を簡単にできる。
【００７０】
前記実施形態では、前面扉４２と背面扉５２として内開き扉を採用した。しかし、ケーシング２の外周面よりも内側で前面開口４１および背面開口５１を開閉できる限り、特に限定されない。例えば図１２に示すように、前面パネル３０の内面に沿って移動し、前面開口４１を開閉する引き戸８８を採用してもよい。
【００７１】
前記実施形態では、前面扉４２のハンドル６４が前面パネル３０の外周面から外側に、はみ出している。しかし、前面パネル３０の外周面から外側にはみ出さず、ハンドル６４が前面開口４１の内部に配置されてもよい。これにより、前面開口４１からのハンドル６４の突出をなくすことができる。
【００７２】
前記実施形態では、前面扉４２を前面パネル３０（ケーシング２）の内周面よりも内側に配置し、背面扉５２を背面パネル３１（ケーシング２）の内周面よりも内側に配置した。しかし、ケーシング２の外周面よりも内側で前面開口４１および背面開口５１を開閉できる限り、特に限定されない。例えば図１３に示すように、前面扉４２の外面が前面パネル３０の外面と面一になるように前面扉４２を配置してもよい。このとき、シール部材６１は、前面開口４１の縁部全周にわたって固定されたシール保持金具９０と前面扉４２の縁部との間に配置されている。同様に、背面扉５２の外面が背面パネル３１の外面と面一になるように背面扉５２を配置してもよい。このとき、シール部材６１は、背面開口５１の縁部全周にわたって固定されたシール保持金具９１と背面扉５２の縁部との間に配置されている。
【００７３】
１  空気調和機
２  ケーシング
４  冷水コイル（熱交換器）
５  温水コイル（熱交換器）
７  送風ファン
２０  流入口（空気流入口）
２１  還気口（空気流入口）
２２  流出口（空気流出口）
４１  前面開口
４２  前面扉
５１  背面開口
５２  背面扉
８１  ダンパ（逆流防止機構）
Ｓ１  流入側空間
Ｓ２  熱交換室
Ｓ３  ファン室
【図１】
0006531494.tif 000002
【図２】
0006531494.tif 000003
【図３】
0006531494.tif 000004
【図４】
0006531494.tif 000005
【図５】
0006531494.tif 000006
【図６】
0006531494.tif 000007
【図７】
0006531494.tif 000008
【図８】
0006531494.tif 000009
【図９】
0006531494.tif 000010
【図１０】
0006531494.tif 000011
【図１１】
0006531494.tif 000012
【図１２】
0006531494.tif 000013
【図１３】
0006531494.tif 000014